(57)【要約】      （修正有）【課題】化粧水等の液体に、水素ガスを従来よりも多く付与する容器を提供する。【解決手段】水素発生剤入り液体容器１０は、筒状の側壁１１と、側壁１１の一端側を閉塞する底壁１２と、側壁１１の他端側に設けられる開閉可能な取り出し口２６と、底壁１２の内側底面に形成される小室１２ｄと、側壁１１の内部空間Ｌに配置されて小室１２ｄを閉塞する内蓋１６と、底壁１２を貫通する孔１２ｈに摺動可能に通されて、底壁１２の外側表面から突出する一端部に雄ねじ１８ｆが形成され、内部空間に位置する他端部で内蓋１６と結合するシャフト１７と、底壁１２の外側表面に沿って設けられて雄ねじ１８ｆと螺合するナット１８とを備える。ナット１８を緩め方向に回転させてシャフト１７を摺動させて内蓋１６を底壁１２から離れる方向に移動させることにより小室１２ｄ内の水素発生剤２７と内部空間Ｌの液体を化学反応させて水素を発生させる。【選択図】図１
0003209425.tif 000002
【実用新案登録請求の範囲】
【請求項１】
内部空間を包囲する側壁と、
前記側壁の一端側を閉塞する底壁と、
前記側壁の他端側に設けられる開閉可能な取り出し口と、
前記底壁の内側底面に形成される小室と、
前記内部空間に配置されて前記小室を閉塞する内蓋と、
前記底壁を貫通する孔に摺動可能に通されて、前記底壁の外側表面から突出する一端部に雄ねじが形成され、前記内部空間に位置する他端部で前記内蓋と結合するシャフトと、
前記底壁の前記外側表面に沿って設けられて前記雄ねじと螺合するナットとを備え、
前記小室には水素発生剤が収容され、
前記内蓋によって前記小室から区別される前記側壁の前記内部空間には液体が貯留され、
前記ナットを緩め方向に回転させ、前記シャフトを摺動させて前記内蓋を前記底壁から離れる方向に移動させることにより前記小室と前記側壁の前記内部空間を連通し、前記液体と前記水素発生剤の化学反応により水素を発生するよう構成される、水素発生剤入り液体容器。
【請求項２】
前記内蓋および前記底壁間に縮設される第１弾性部材をさらに備える、請求項１に記載の水素発生剤入り液体容器。
【請求項３】
前記側壁はシリンダ形状に形成され、
前記底壁は前記シリンダ形状部分内を摺動可能であり、
前記側壁の一端に設けられる底蓋と、
前記底壁および前記底蓋間に縮設される第２弾性部材をさらに備える、請求項１または２に記載の水素発生剤入り液体容器。
【請求項４】
前記底壁と、前記小室を閉塞する内蓋との間には、シール材が介在する、請求項１〜３のいずれかに記載の水素発生剤入り液体容器。
【請求項５】
前記底壁を貫通する前記孔と、前記孔に通される前記シャフトとの間にシール材が介在する、請求項１〜４のいずれかに記載の水素発生剤入り液体容器。
【請求項６】
前記底壁の前記外側表面から突出する前記シャフトの前記一端部に抜け止め部材が設けられ、
前記抜け止め部材は、前記シャフトが前記底壁を貫通する前記孔から前記内蓋側へ抜け出すことを防止する、請求項１〜５のいずれかに記載の水素発生剤入り液体容器。
【請求項７】
前記小室に取り付けられて前記水素発生剤を保持するフィルタをさらに備える、請求項１〜６のいずれかに記載の水素発生剤入り液体容器。
【請求項８】
前記ナットを回転不能に仮止めするストッパをさらに備える、請求項１〜７のいずれかに記載の水素発生剤入り液体容器。
【考案の詳細な説明】
【技術分野】
【０００１】
本考案は、化粧水等の液体を保存するとともに使用時に少量の液体を取り出すことができる容器に関し、特に水素分子（Ｈ２）の含有量を多くする技術に関する。
【背景技術】
【０００２】
昨今の健康ブームにより、水素ガス（水素分子：Ｈ２）を含む飲料水、美容水、あるいは化粧水の需要が増えている。ところが水素ガスは容器から漏出し易く、化学的に不安定であり、工場で水素ガスおよび水を容器に充填して出荷し、店頭で販売しても、エンドユーザ（使用者）の手元に届く頃には容器内の水素ガスが少なくなっている。このため十分な水素ガスをエンドユーザに届けるための技術が求められている。
【０００３】
そこでエンドユーザの操作によって、水道水、ミネラルウォーター、化粧水等の液体に水素ガスを溶存させる技術が、実用新案登録第３１９６９１１号公報（特許文献１）に提案されている。特許文献１に記載のスプレー容器は、容器上部のスプレー機構から容器底壁まで延びる吸い上げ管の中に、金属マグネシウムの粒を仕込んでおき、吸い上げ管に吸い上げられる液体が、金属マグネシウムと反応して、水素ガスを含むというものである。このとき生じる化学反応は以下のとおりである。
［化１］
Ｍｇ＋２Ｈ２Ｏ→Ｍｇ（ＯＨ）２＋Ｈ２
【先行技術文献】
【特許文献】
【０００４】
【特許文献１】実用新案登録第３１９６９１１号公報
【考案の概要】
【考案が解決しようとする課題】
【０００５】
しかし、上記従来のようなスプレー容器にあっては、さらに改善すべき点があることを本考案者は見いだした。つまり液体の水（Ｈ２Ｏ）に溶存可能な水素ガス（Ｈ２）の飽和濃度は２０℃前後の気温および大気圧下では大変少ないという問題がある。またマグネシウム（Ｍｇ）と水（Ｈ２Ｏ）の反応速度が遅いため、スプレーの先から出てくる液体には水素ガスが殆ど入っていないという問題がある。かといって何らかの手段によってマグネシウム（Ｍｇ）と水（Ｈ２Ｏ）の反応速度を速くすると、吸い上げ管の中の金属マグネシウム全てが化学反応によって早期に変質してしまい、水素発生容器としての使用期間が短くなってしまう。
【０００６】
本考案は、上述の実情に鑑み、従来よりも改善された水素入り液体容器を提供することを目的とする。
【課題を解決するための手段】
【０００７】
この目的のため本考案による水素発生剤入り液体容器は、内部空間を包囲する側壁と、当該側壁の一端側を閉塞する底壁と、側壁の他端側に設けられる開閉可能な取り出し口と、底壁の内側底面に設けられる小室と、側壁の内部空間に配置されて小室を閉塞する内蓋と、底壁を貫通する孔に摺動可能に通されて、底壁の外側表面から突出する一端部に雄ねじが形成され、内部空間に位置する他端部で内蓋と結合するシャフトと、底壁の外側表面に沿って設けられて雄ねじと螺合するナットとを備える。かかる小室には水素発生剤が収容され、内蓋によって小室から区別される側壁の内部空間には化粧水や美容水といった液体が貯留される。そして、ナットを緩め方向に回転させてシャフトを摺動させて内蓋を底壁から離れる方向に移動させることにより小室と側壁の内部空間を連通し、内部空間の液体と小室の水素発生剤の化学反応により水素を発生するよう構成される。
【０００８】
かかる本考案によれば、液体容器を工場で組み立て・出荷するときからエンドユーザに届くまでの間、液体容器の中に水素分子は無い。そしてエンドユーザの操作によって初めて液体容器内に水素ガスが生成される。したがってエンドユーザが使用を開始するまで水素発生剤の変質がなく、水素を多く含む液体をエンドユーザに届けることができる。なお、取り出し口は特に限定されない。取り出し口は例えばノズルおよびこのノズルを開閉する機構である。小室は特に限定されないが、例えば底壁の内側底面に形成される凹部である。側壁は内部空間を取り囲むものであればよく、側壁の形状は特に限定されない。例えば側壁の断面形状は、筒状体のように側壁の一端（底壁）から他端（頂壁）まで一定でもよいし、あるいは狭口瓶や徳利のように変化するものであってもよい。
【０００９】
本考案のシャフトを摺動させる手段は例えば、エンドユーザがナットを緩め、次にナットを押し込むことによる。本考案の一実施形態として、内蓋および底壁間に縮設される第１弾性部材をさらに備える。かかる実施形態によれば、第１弾性部材の弾発力によって内蓋を底壁から離隔させ、小室を開くことができる。したがってエンドユーザがナットを緩めると内蓋を自動的に開くことができ、操作性が向上する。
【００１０】
側壁の形状は特に限定されないが、本考案の好ましい実施形態として、側壁はシリンダ形状に形成され、底壁は側壁のシリンダ形状部分内を摺動可能であり、側壁の一端に設けられる底蓋と、底壁および底蓋間に縮設される第２弾性部材をさらに備える。かかる実施形態によれば、第２弾性部材の弾発力によって底壁を側壁の他方端へ付勢することができる。したがって内部空間の液体に圧力を常時加えて、液体に溶存する水素分子の量を増やすことができる。したがって本実施形態によれば、一層多くの水素水をエンドユーザに提供することができる。他の実施形態として、第２弾性部材を設けることなく、側壁の内部空間を大気圧と同じ圧力にしてもよい。
【００１１】
本考案のさらに好ましい実施形態として底壁と、小室を閉塞する内蓋との間にはシール材が介在する、かかる実施形態によれば、小室の密封性が向上する。したがって工場で液体容器を組み立て出荷してからエンドユーザが水素発生剤の使用を開始するまでの期間を長くすることができる。シール材は例えばＯリングであり、一例として、底壁の内側底面には小室を包囲する環状のシール材が設けられ、内蓋はシール材の全周と密着して小室を閉塞する。他の例として内蓋にはシャフトを囲繞する環状のシール材が設けられ、底壁はシール材の全周と密着して小室を閉塞する。
【００１２】
本考案の一実施形態として、底壁を貫通する孔の内周面と、孔に通されるシャフトの外周面との間にシール材が介在する。をさらに備える。かかる実施形態によれば、側壁およびシャフト間に僅かな環状隙間があっても、当該環状隙間を閉塞し、底壁およびシャフトで側壁の一端を確り封止することができる。シール材は例えば環状のＯリングである。
【００１３】
本考案の好ましい実施形態として、底壁の外側表面から突出するシャフトの一端部に抜け止め部材が設けられ、抜け止め部材は、シャフトが底壁の孔から内蓋側へ抜け出すことを防止する。かかる実施形態によれば、シャフトが底壁の孔を常時貫通し、底壁の密封性を確保できる。他の実施形態として内部空間に、内蓋の移動を規制する部材を設けてもよい。
【００１４】
本考案のさらに好ましい実施形態として、小室に取り付けられて水素発生剤を保持するフィルタをさらに備える。かかる実施形態によれば、水素発生剤が化粧水や美容水といった液体に混入することを防止できる。一例としてフィルタは小室の開口を覆う。他の例としてフィルタは袋状であって水素発生剤を包む。他の実施形態として、内蓋の開度を小さくして、水素発生剤が小室から出ないようにしてもよい。
【００１５】
本考案の一実施形態として、ナットを回転不能に仮止めするストッパをさらに備える。かかる実施形態によれば、ナットが不用意に緩むことを防止できる。ストッパは特に限定されないが、例えば底壁の外周およびナットの外周に跨るよう巻き付く。
【考案の効果】
【００１６】
このように本考案によれば、エンドユーザが液体容器の使用を開始するまで液体容器内の水素発生剤が変質、劣化しない。そして液体容器に貯留する化粧水・美容水等の液体に、従来よりも水素を多く付与することができる。
【図面の簡単な説明】
【００１７】
【図１】本考案の第１実施形態になる液体容器の使用前の状態を示す縦断面図である。
【図２】第１実施形態を示す底面図である。
【図３】第１実施形態の使用状態を示す縦断面図である。
【図４】第１実施形態の変形例になる液体容器の使用前の状態を示す縦断面図である。
【図５】本考案の第２実施形態になる液体容器の使用前の状態を示す縦断面図である。
【図６】第２実施形態の使用状態の始めを示す縦断面図である。
【図７】第２実施形態の使用状態の終わりを示す縦断面図である。
【考案を実施するための形態】
【００１８】
以下、本考案の実施の形態を、図面に基づき詳細に説明する。図１は、本考案の第１実施形態になる水素発生剤入り液体容器の使用前の状態を示す縦断面図である。図２は、第１実施形態を示す底面図である。液体容器１０は、側壁１１と、底壁１２と、内蓋１６と、シャフト１７と、ナット１８と、ストッパ１９と、開閉機構２１とを備える。側壁１１と、底壁１２と、内蓋１６と、シャフト１７と、ナット１８は、加工し易いアルミニウム等の軽金属製である。
【００１９】
側壁１１は液体容器１０の大部分をなし、一端部から他端部まで延びる筒状体である。側壁１１の両端部内周には雌ねじ１１ｂ，１１ｃが形成される。側壁１１一端部の雌ねじ１１ｂには底壁１２が螺合する。底壁１２は側壁１１の一端部を覆う。側壁１１他端部の雌ねじ１１ｃには開閉機構２１が螺合する。開閉機構２１は、例えばスプレー機構であり、円形の頂壁２２と、スプレー基部２３と、ストロー２４と、操作頭部２５と、ノズル２６とを有する。
【００２０】
頂壁２２は側壁１１の他端部を覆い、底壁１２とともに側壁１１の内部空間Ｌを密閉する。スプレー基部２３は頂壁２２の中心に設けられる。ストロー２４はスプレー基部２３から側壁１１の一端まで延びる樹脂製の可撓管である。ストロー２４の先端は、底壁１２近傍に配置される。操作頭部２５は、スプレー基部２３に摺動可能に取り付けられ、スプレー基部に内設されるばね（図示せず）によって図１に示す通常位置にされる。使用者は、ばねの付勢力に抗して操作頭部２５を通常位置からスプレー基部２３に向かって押し込むことができる。
【００２１】
ノズル２６は液体の取り出し口であって、操作頭部２５の側面に設けられる。操作頭部２５が通常位置にあるとき、開閉機構２１は閉じており、ノズル２６から液体は出ない。使用者が操作頭部２５を手の指で押し込むと、開閉機構２１は開かれて、スプレー基部２３に保持される所定量の液体がノズル２６から容器外方へ噴出する。また使用者が操作頭部２５から指を離すと操作頭部２５は通常位置に復帰して、所定量の液体が側壁１１の内部空間Ｌからストロー２４を通ってスプレー基部２３に流入し、開閉機構２１は元どおりに閉じる。ここでいう所定量とは、１回の押し込み操作分の使用量である。したがって操作頭部２５を２回押し込むことにより、使用者は内部空間Ｌ内の液体をノズル２６から取り出すことができる。
【００２２】
底壁１２は円板形状であって、両端面に相当する内側底面１２ｗから外側表面１２ｘまで所定の厚み寸法で形成される。この厚み方向中心部の外周には、前述した雌ねじ１１ｂと螺合する雄ねじが形成される。底壁１２の一方の端面である外側表面１２ｘは大径の円とされ、他方の端面である内側底面１２ｗは小径の円とされる。このため内側底面１２ｗの外径は側壁１１の内径よりも小さい。そして小径の内側底面１２ｗは側壁１１の内部に挿通される。底壁１２の厚み方向一方側には環状の段差１２ｇが形成される。段差１２ｇは、側壁１１の一方端と当接する。外側表面１２ｘの外径は、側壁１１の外径と同一である。底壁１２の中心には貫通孔１２ｈが穿設される。
【００２３】
貫通孔１２ｈは底壁１２の内側底面１２ｗから外側表面１２ｘまで延びる。底壁１２には内側底面１２ｗの中心部をくり抜くように凹状の小室１２ｄが形成される。小室１２ｄが形成されない内側底面１２ｗの外縁は周壁１２ｆを構成する。周壁１２ｆは小室１２ｄの外周を区画する。また内側底面１２ｗは周壁１２ｆの突縁を構成する。環状の突縁には環状溝１２ｔが形成され、環状溝１２ｔにはＯリング１４が配置される。
【００２４】
底壁１２の外周面には環状溝１２ｒが形成され、環状溝１２ｒにはＯリング１５が配置される。Ｏリング１５は側壁１１内周面と底壁１２外周面の環状隙間を封止する。
【００２５】
内蓋１６は、側壁１１の内部空間Ｌに配置される円板である。内蓋１６はシャフト１７に支持され、内蓋１６の一方端面が底壁１２と向き合い、内蓋１６の他方端面が開閉機構２１を指向する。内蓋１６の一方端面の外縁は周壁１２ｆの突縁と接触する。これにより内蓋１６は小室１２ｄを閉塞する。このとき環状のＯリング１４は、内蓋１６の全周に亘って密着し、小室１２ｄと内部空間Ｌを別々に分断する。内蓋１６の外径は側壁１１の内径よりも小さい、このため内蓋１６と側壁１１の間には環状隙間Ｆが形成される。
【００２６】
シャフト１７は、底壁１２の貫通孔１２ｈに通され、シャフト１７の両端が底壁１２から突出する。貫通孔１２ｈの内周面には環状溝１２ｓが形成され、環状溝１２ｓにはＯリング１３が配置される。Ｏリング１３はシャフト１７の外周面と貫通孔１２ｈの内周面の環状隙間を封止する。なおシャフト１７は、後述する所定の条件において貫通孔１２ｎに沿って摺動可能である。
【００２７】
底壁１２の外側表面１２ｘから突出するシャフト１７の一端部には雄ねじ１７ｄが形成される。雄ねじ１７ｄはナット１８と螺合する。底壁１２から小室１２ｄ側へ突出するシャフト１７の他端部は内蓋１６の中心部と結合する。
【００２８】
ナット１８は中心に雌ねじ１８ｆを有する円板であり、ナット１８の直径は底壁１２の外側表面１２ｘの直径と略同一に形成される。ナット１８の雌ねじ１８ｆは、シャフト１７の雄ねじ１７ｄと螺合する。ナット１８を締め付け方向に回転させると、シャフト１７は雌ねじ１８ｆの孔の中に引き込まれ、シャフト１７と結合する内蓋１６が小室１２ｄを閉塞する。液体容器１０の未使用状態で、ナット１８は外側表面１２ｘに隣接した状態でシャフト１７と螺合する。このためシャフト１７は、一端側のナット１８および他端側の内蓋１６によって、摺動不能に保持される。ただし後述するようにナット１８と外側表面１２ｘの間にクリアランスが生じると、使用者は当該クリアランスの範囲で、貫通孔１２ｈを摺動することができる。
【００２９】
なおナット１８の厚み寸法は、外側表面１２ｘから突出するシャフト１７の一端部よりも大きい。このためナット１８を締め付け方向に回転させて、雌ねじ１８ｆの中に引き込まれるシャフト１７の長さを最大にしても、図１に示すようにシャフト１７はナット１８を貫通しない。外側表面１２ｘから遠い側にあるナット１８の一端面１８ｘは平坦に形成される。したがって使用者は、ナット１８を下にし、開閉機構２１を上にして、液体容器１０を立ち姿勢で静置することができる。
【００３０】
外側表面１２ｘの中心には凹部１２ｙが形成される。凹部１２ｙは貫通孔１２ｈと接続する。またナット１８のうち外側表面１２ｘと隣接する他端面の中心にも凹部１８ｙが形成される。凹部１８ｙは雌ねじ１８ｆと接続する。凹部１２ｙと凹部１８ｙは互いに一致して空間を区画する。シャフト１７のうち当該空間（凹部１２ｙ，凹部１８ｙ）を貫通する部分には抜け止め部材１７ｓが附設される。シャフト１７のうち抜け止め部材１７ｓを設けられた箇所は、貫通孔１２ｈの内径よりも大きい。これによりシャフト１７は、貫通孔１２ｈに沿って摺動することを禁止されないが、貫通孔１２ｈから抜け出して内部空間Ｌに移動することを禁止される。
【００３１】
ナット１８は底壁１２の外側表面１２ｘに隣接し、ストッパ１９で相対回転不能に保持される。ストッパ１９は例えばナット１８の外周面から底壁１２の外周面まで貼付されるテープである。
【００３２】
液体容器１０の内部空間Ｌには化粧水等の液体が保存される。これに対し小室１２ｄには粒状の水素ガス発生剤２７が配置される。水素ガス発生剤２７は、例えば水素発生セラミックボールであったり、マグネシウムの粉末を含む粒であったりする。これらの水素発生剤は人体に無害であり、水（Ｈ２Ｏ）との化学反応によって水素分子を発生させる。小室１２ｄの開口は液体の通過を許容し、個体の通過を阻止するフィルタ２８で覆われる。
【００３３】
次に液体容器１０の使用方法につき説明する。
【００３４】
液体容器１０の最初の使用時に、使用者はまずストッパ１９を除去し、次に側壁１１および底壁１２を固定しつつ、ナット１８を緩め方向に相対回転させる。そうするとナット１８が底壁１２の外側表面１２ｘから離れる方向にせり出してくる。ここでナット１８を底壁１２に向かって押し込むと、シャフト１７および内蓋１６が内部空間Ｌに向かって相対移動し、図３に示すように隙間Ｇが生じる。
【００３５】
上記の操作により、内部空間Ｌの液体は、隙間Ｆ，Ｇと、フィルタ２８を経由して、小室１２ｄに流入し、水素ガス発生剤２７と反応し、水素ガスが発生する。水素ガスは内部空間Ｌの液体に溶解する。使用者は、操作頭部２５を適宜回数押し込んで、水素ガス入りの液体をノズル２６から取り出す。２回目以降の使用時において、ナット１８の回転操作は不要である。
【００３６】
第１実施形態によれば、使用者が最初の使用時にナット１８を緩めることにより、内部空間Ｌの液体と水素ガス発生剤２７を反応させて、新鮮な水素ガスを液体に付与することができる。したがって液体を使用する使用者に、十分な水素ガスを供給することができる。
【００３７】
また第１実施形態によれば、小室１２ｄに収納される水素ガス発生剤２７がフィルタ２８に覆われている。これにより、水素ガス発生剤２７が内部空間Ｌに逆流することが防止される。
【００３８】
次に本考案の変形例を説明する。図４は本考案の変形例を示す縦断面図である。この変形例につき、前述した実施形態と共通する構成については同一の符号を付して説明を省略し、異なる構成について以下に説明する。この変形例では図４に示すように、ばね等の第１弾性部材２９を小室１２ｄに縮設する。小室１２ｄは内蓋１６および底壁１２間に押し縮められて、内蓋１６を底壁１２から離れる方向に付勢する。水素ガス発生剤２７を覆うフィルタは省略されてもよい。
【００３９】
使用者は液体容器１０の最初の使用時に、ナット１８を緩めるのみでよい。ナット１８が外側表面１２ｘから離れる方向に緩められると、これまで内側底面１２ｗに接触するように固定されて移動を禁止されていた内蓋１６が、シャフト１７の延在方向の移動を許容され、第１弾性部材２９によって底壁から離れる方向に付勢される。これにより前述した図３に示すように内部空間Ｌの液体は、隙間Ｆ，Ｇと、フィルタ２８を経由して、小室１２ｄに流入し、水素ガス発生剤２７と反応し、水素ガスが発生する。
【００４０】
次に本考案の第２実施形態を説明する。図５〜図７は本考案の第２実施形態を示す縦断面図であり、図５は未使用時を、図６は使用開始時を、図７は内部の液体を殆ど使用し尽くした状態を表す。第２実施形態につき、前述した実施形態と共通する構成については同一の符号を付して説明を省略し、異なる構成について以下に説明する。
【００４１】
第２実施形態では、側壁１１の内周面が長手方向に亘って一定径に形成される。つまり側壁１１はアルミ製のシリンダ形状である。底壁１２は、側壁１１の内径よりも小さな外形を有し、側壁１１に固定されず、側壁１１の内部を摺動可能に取り付けられる。底壁１２の外周面には、厚み方向に間隔を空けて複数のＯリング１５，１５，１５が設けられる。これにより底壁１２が側壁１１の内部でピストンのように摺動しても、底壁１２および側壁１１間から液体が漏出することがない。第２実施形態では、第１実施形態（図１）と比較してストロー２４が短くされる。
【００４２】
第２実施形態の液体容器２０は、底蓋３１と第２弾性部材３２をさらに備える。底蓋３１は、円板であって、厚み方向中央部の外周に、側壁１１一端部の雌ねじ１１ｂと螺合する雄ねじを有する。底蓋３１の中心には、厚み方向に貫通する貫通孔３１ｈが穿設される。貫通孔３１ｈにはシャフト１７が通される。
【００４３】
ナット１８の中心部には、底蓋３１に向かって突出する凸部１８ｂが形成される。雌ねじ１８ｆは凸部１８ｂを貫通するように形成される。これに対し底蓋３１の外側表面中心部には、凸部１８ｂを受け入れる凹部３１ｚが形成される。ストッパ１９は底蓋３１およびナット１８に跨って貼付される。
【００４４】
底蓋３１の内側底面中心部には凹部３１ｙが形成される。凹部３１ｙは底壁１２の外側表面に形成される凹部１２ｙと向き合う。
【００４５】
底壁１２および底蓋３１間には第２弾性部材３２が縮設される。第２弾性部材３２は例えばコイルスプリングであり、第２弾性部材３２の一端は凹部３１ｙに保持され、第２弾性部材３２の一端は凹部１２ｙに保持される。
【００４６】
次に液体容器２０の使用方法につき説明する。
【００４７】
液体容器２０の最初の使用時に、使用者はまずストッパ１９を除去し、次に側壁１１および底蓋３１を固定しつつ、ナット１８を緩め方向に相対回転させる。そうするとナット１８とシャフト１７の螺合が解除され、シャフト１７は貫通孔１２ｈ，３１ｈに沿って摺動を許容される。そして第１弾性部材２９の付勢力により、シャフト１７および内蓋１６が内部空間Ｌに向かって相対移動し、図６に示すように隙間Ｇが生じる。
【００４８】
上記の操作により、内部空間Ｌの液体は、隙間Ｆ，Ｇを経由して、小室１２ｄに流入し、水素ガス発生剤２７と反応し、水素ガスが発生する。水素ガスは内部空間Ｌの液体に溶解する。使用者は、操作頭部２５を適宜回数押し込んで、水素ガス入りの液体をノズル２６から取り出す。２回目以降の使用時において、ナット１８の回転操作は不要である。
【００４９】
底壁１２は第２弾性部材３２によって側壁１１の他方側（開閉機構２１側）へ付勢される。このため使用者が内部空間Ｌに貯留する液体を使用すると、その分量に対応して底壁１２が側壁１１の他端側へ摺動する。内部空間Ｌに貯留する液体を略使用し尽くすと、図７に示すように、底壁１２は開閉機構２１の近傍まで移動する。
【００５０】
第２実施形態によれば、内部空間Ｌに貯留する液体が第２弾性部材３２によって常時加圧される。したがって液体に溶解する水素濃度が大気圧と比較して上昇し、液体を使用する使用者に、一層十分な水素ガスを供給することができる。
【００５１】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００５２】
この考案になる水素発生剤入り液体容器は、美容健康用品において有利に利用される。
【符号の説明】
【００５３】
１１  側壁、      １２  底壁、      １２ｄ  小室、      
１２ｆ  周壁、      １２ｇ  段差、      １２ｈ  貫通孔、      
１２ｒ，１２ｓ，１２ｔ  環状溝、      １２ｗ  内側底面、      
１２ｗ  底面、      １２ｘ  外側表面、      、１２ｙ  凹部、      
１３，１４，１５  リング、      １６  内蓋、      １７  シャフト、      
１７ｄ  雄ねじ、      １７ｓ  抜け止め部材、      １８  ナット、      
１９  ストッパ、      ２１  開閉機構、      ２２  頂壁、      
２３  スプレー基部、      ２４  ストロー、      ２５  操作頭部、      
２６  ノズル、      ２７  水素ガス発生剤、      ２８  フィルタ、      
２９  第１弾性部材、      ３１  底蓋、      ３２  第２弾性部材、      
Ｆ  環状隙間、      Ｇ  隙間、      Ｌ  内部空間。
【図１】
0003209425.tif 000003
【図２】
0003209425.tif 000004
【図３】
0003209425.tif 000005
【図４】
0003209425.tif 000006
【図５】
0003209425.tif 000007
【図６】
0003209425.tif 000008
【図７】
0003209425.tif 000009